(57)【要約】【課題】必要により取り付け、不要時には脱着可能な仕切板保持部材を有する組立式コンテナを提供すること。【解決手段】パレットと、内部に収納空間が形成されるようにパレットの上に立設される複数の側板とを、有する組立式コンテナであって、前記複数の側板のうち、相互に向い合う一対の側板の内壁面に着脱自在に取り付けられ、断面形状がコの字型のスライド溝を有する仕切板保持部材と、前記仕切板保持部材に設けたスライド溝にスライド自在に挿入される仕切板とを、有する組立式コンテナ。【選択図】　図２
2004026210.tif 000002
【特許請求の範囲】
【請求項１】
パレットと、内部に収納空間が形成されるようにパレットの上に立設される複数の側板とを、有する組立式コンテナであって、
前記複数の側板のうち、相互に向い合う一対の側板の内壁面に着脱自在に取り付けられ、断面形状がコの字型のスライド溝を有する仕切板保持部材と、
前記仕切板保持部材に設けたスライド溝にスライド自在に挿入される仕切板とを、有する組立式コンテナ。
【請求項２】
前記仕切板保持部材は、スライド溝の背面に設けたマグネットによって、前記複数の側板の相互に向い合う一対の側板の内壁面に着脱自在に取り付けられる請求項１に記載の組立式コンテナ。
【発明の詳細な説明】
【０００１】
【発明の属する技術分野】
本発明は、少量多品種の製品を、効率よく、かつ衛生的に収納するための着脱自在かつ間隔調整自在の仕切板保持部材を有する組立式コンテナに関する。
【０００２】
【従来の技術】
数種類の製品を一台のコンテナに収納して運ぶために、コンテナの内部を適当な仕切板で区分けすることが行われている。
コンテナとしては、使用後、側板を取り外してコンパクトに折り畳め、保管スペースが少なくて済み、また傷んだ側板などの構成部材を交換するだけで繰り返し使用ができるなどの利点から組立式コンテナが多用されている。仕切板による区分けが必要な場合には、予め仕切板保持部材をネジなどで所定の間隔で固定した側板を使用し、これに仕切板を挿入して使用している。
【０００３】
しかし、このようにして取付けた仕切板は、通常、間隔が固定されており、とくに組立式コンテナの場合は、収納物の種類や数量の多少に応じて機動的に対応することが難しい。また、例えば、食品を収納する場合には、とりわけ厳しい衛生管理が必要であり、仕切板使用のために側板に穴を開けたりなどの細工を施すことによって、内部に埃などが入ることが嫌われることから、仕切板は採用されないことが多い。
【０００４】
【発明が解決しようとする課題】
本発明の目的は、内部に着脱自在の仕切板保持部材を有する組立式コンテナを提供することにある。
本発明者らは、上記目的を達成すべく鋭意検討し、特定部位に帯状金属部材を有するコンテナに、裏面の上記金属部材と接する部位にマグネットを取付けた、仕切板スライド自在の仕切板保持部材を採用することで上記の目的が達成できることを見いだし、本発明に至った。
【０００５】
【課題を解決するための手段】
かかる本発明によれば、パレットと、内部に収納空間が形成されるようにパレットの上に立設される複数の側板とを、有する組立式コンテナであって、
前記複数の側板のうち、相互に向い合う一対の側板の内壁面に着脱自在に取り付けられ、断面形状がコの字型のスライド溝を有する仕切板保持部材と、
前記仕切板保持部材に設けたスライド溝にスライド自在に挿入される仕切板とを、有する組立式コンテナが提供される。
【０００６】
【発明の実施の形態】
次に本発明をさらに詳細に説明する。
本発明の組立式コンテナは、製品を輸送する際に組み立て、使用後は折り畳んで保管し、組立ておよび折り畳みを繰り返す組立式コンテナの内壁面に、仕切板を挿入するためのガイド溝を有する仕切板保持部材を着脱自在に取り付けたものである。組立式コンテナは、パレットに固定した四角形の金属枠内に複数の側板を、これらが該枠から抜けないようにして立設して組立てる方式のものが一般的である。前記金属枠内にさらに設けた金属製差込み枠に側板の下端部を差し込む方式と、このような金属製差込み枠のない方式とがあるが、いずれの方式でもよい。また、パレットからの側板の抜けを防止する方式（機構）も種々の方式があるが、いずれの方式であっても構わない。側板、底板、上蓋、仕切板の材質も合板、プラスチック段ボールなどがあるが、とくに制限されない。
【０００７】
本発明の組立式コンテナの側板の内壁面に着脱自在に取り付ける仕切板保持部材は、必要に応じて側板に取り付けられ、不要の場合には取り外すことができ、相互に向い合う一対の側板に、仕切板の数に応じた数の対として取り付けられる。仕切板保持部材は、例えば、底板に平行または垂直となるように側板に取り付けられる。
【０００８】
仕切板保持部材は、長手方向に仕切板がスライド自在に挿入可能な断面形状がコの字型のスライド溝を有する枠体であり、これを側板に着脱自在に設置するために、このスライド溝の背面には、取り付け手段が設けられている。取り付け手段はとくに限定されないが、マグネットが好ましい。
【０００９】
本発明の組立式コンテナにおいて、仕切板保持部材をコンテナ側板に着脱自在に設置するためにマグネットを使用する場合は、一対の側板の内壁の少なくとも２箇所、好ましくは少なくとも上端部および下端部が金属製帯状部材を有することが必要である。
【００１０】
【実施例】
以下では本発明の実施例を図面を参照して説明する。
【００１１】
組立式コンテナの１例を図３に示す。このコンテナＡは、パレット１０に設けた四角形の組立用金属製枠１１に接して二対の側板１２、１２′と１３、１３′が底板１９上に立設され、各側板の各縁部は金属製枠１４、１５で補強されている。一対の側板のそれぞれの両側端の下端部には丸棒状突起１６が設けられ、丸棒突起１６はパレットの四隅の金具１７に嵌挿され、側板の抜けは防止されている。また、側板相互は、一対の側板１２、１２′のそれぞれの上端部に２箇所設置した固定金具１８によって連結される。
【００１２】
図１は、本発明で使用する一対のコンテナ用仕切板保持部材の１例の斜視図（上段）と断面図（下段）を示す。仕切板保持部材１は、仕切板がスライド自在に挿入されるように断面形状がコの字型のスライド溝３が長手方向に形成されている。材質は、とくに制限されず、鉄、アルミニウム、ステンレスなどの金属、プラスチックなどが使用できるが、繰り返し使用することを考慮すれば金属が好ましい。
【００１３】
図１の仕切板保持部材１の背面には、それを組立式コンテナＡの側板１２の内壁に着脱自在に設置するためのマグネット４、５が、上下端部の２箇所に、リベット、ネジ止め、接着剤などにより固定されている。マグネットは、使用中に仕切板保持部材１が移動しない磁力を有するものであれば、磁化金属でもプラスチック磁石でもよい。
【００１４】
なお、組立式コンテナの種類によっては、側板の一部が蝶番などによって二つ折れになっているものもある。この場合も当該側板の二つ折れ部も金属製補強枠を設けることにより、仕切板保持部材１の背面の該当位置に、さらにマグネットを固定して、側板への仕切板保持部材の設置を強固にすることができる。
【００１５】
２枚の仕切板を本発明の二対の仕切板保持部材に装着する状態の斜視図を図２に示す。図２では、仕切板保持部材１は、仕切板６の枚数に応じて側板に所定の間隔で設置し、それぞれに仕切板を差し込んで使用される。仕切板保持部材は、使用後はコンテナから取り外し、折畳んだ側板に取り付けたまま保管するか、取り外して別途保管される。なお、図２では仕切板保持部材１を設置する側板とマグネット４は省略してある。
【００１６】
【発明の効果】
かくして本発明によれば、側板（側壁）に着脱自在に取り付けられる仕切板保持部材を有する組立式コンテナが提供される。仕切板保持部材のスライド溝に仕切板を挿入することにより、多品種の製品を効率よく、衛生的に収納することができる。
【図面の簡単な説明】
【図１】仕切板保持部材の１例を説明する斜視図である。
【図２】仕切板保持部材の１例に仕切板を挿入する状態を説明する斜視図である。
【図３】組立式コンテナの１例を説明する斜視図である。
【符号の説明】
１：仕切板保持部材
２：枠体
３：スライド溝
４、５：マグネット
６：仕切板
Ａ：組立式コンテナ
１０：パレット
１１：組立用金属製枠
１２、１２′、１３、１３′：側板
１４、１５：補強用金属製枠
１６：側板抜け防止用丸棒状突起
１７：金具
１８：側板固定金具
１９：底板
２０：上蓋
【図１】
2004026210.tif 000003
【図２】
2004026210.tif 000004
【図３】
2004026210.tif 000005